(57)【要約】      （修正有）【課題】トルクを正確に測ることができるトルクのデジタル表示機能付き工具連結器を提供する。【解決手段】連結本体１０と、感知ユニットと、表示ユニット３０とにより構成される。連結本体１０は一端に第一結合部１１が設けられ、他端に第二結合部１２が設けられる。第一結合部１１は、ボルトやナットなどの被締付け物体を嵌合し、第二結合部１２はトルクレンチなどの工具を嵌合する。感知ユニットは、連結本体１０上に設置され、トルクを感知し、トルク電気信号を出力する。表示ユニット３０は、感知ユニットと電気的に接続すると共に、そのトルク電気信号をトルク値へ変換し表示する。【選択図】図１
0003151032.tif 000002
【実用新案登録請求の範囲】
【請求項１】
連結本体と、感知ユニットと、表示ユニットとにより構成されるトルクのデジタル表示機能付き工具連結器であって、
前記連結本体は、第一結合部と、第二結合部と、第一、第二結合部を連結する連結部とを具備し、前記第一結合部は、ボルトなどの被締付け物体を嵌合するのに供し、前記第二結合部はレンチなどの工具を嵌合するのに供し、
前記感知ユニットは、前記連結本体上に設置され、トルクを感知し電気信号を出力し、
前記表示ユニットは、前記感知ユニットと電気的に接続し、前記感知ユニットの電気信号をトルク値へ変換し表示することを特徴とする、トルクのデジタル表示機能付き工具連結器。
【請求項２】
前記連結部には、少なくとも一つの感知表面を形成し、前記感知表面には前記感知ユニットを設置することを特徴とする、請求項１に記載のトルクのデジタル表示機能付き工具連結器。
【請求項３】
前記連結部は、所定長さを有する円柱ロッドにより構成され、前記円柱ロッドの円周面に前記感知表面を形成することを特徴とする、請求項２に記載のトルクのデジタル表示機能付き工具連結器
【請求項４】
前記感知ユニットは、ひずみゲージにより構成されることを特徴とする、請求項１に記載のトルクのデジタル表示機能付き工具連結器。
【請求項５】
前記表示ユニットは、前記連結本体の連結部に設置されることを特徴とする、請求項１に記載のトルクのデジタル表示機能付き工具連結器。
【請求項６】
前記表示ユニットは、前記連結本体と別に設けられることを特徴とする、請求項１に記載のトルクのデジタル表示機能付き工具連結器。
【請求項７】
前記表示ユニットは、ケースと基板とからなり、前記ケースはデジタル表示画面を有し、前記基板は前記ケース内に設けられ、前記デジタル表示画面と前記感知ユニットと電気的に接続する一方、前記表示ユニットは、前記感知ユニットにより感知されたトルク電気信号を前記デジタル表示画面へトルク数値として変換出力することを特徴とする、請求項１に記載のトルクのデジタル表示機能付き工具連結器。
【請求項８】
前記ケースの表面には、複数のボタンを設け、これにより、各種設定及び表示方式を操作することを特徴とする、請求項７に記載のトルクのデジタル表示機能付き工具連結器。
【請求項９】
前記第一結合部は、一つの矩形柱体であり、前記第二結合部には、一つの矩形連結口を設けることを特徴とする、請求項１に記載のトルクのデジタル表示機能付き工具連結器。
【請求項１０】
前記第一結合部は、一つの正六角形柱体であり、前記第二結合部には、一つの正六角形連結口を設けることを特徴とする、請求項１に記載のトルクのデジタル表示機能付き工具連結器。
【請求項１１】
前記第一結合部は、一つの多角形柱体であって、前記第二結合部には、一つの多角形連結口を設けることを特徴とする、請求項１に記載のトルクのデジタル表示機能付き工具連結器。
【考案の詳細な説明】
【技術分野】
【０００１】
本考案はレンチ等の工具関連部品に係り、特にトルクのデジタル表示機能付き工具連結器に関する。
【背景技術】
【０００２】
通常は、ボルトやナット等被締付け物体の取付け又は取外し（以下、締付け作業と呼ぶ）を行うとき、例えば、ソケット、とヘッドを備えるハンドルを含むソケットレンチ又はトルクレンチ等のレンチが多用されている。前記レンチのハンドルを左右に回すには、ハンドルを回すスペースとハンドルを持つ手のスペースと（以下、回しスペースと呼ぶ）が必要で、狭いスペースでは、左右に回せない。このため、狭いスペースにおいて締付け作業を行うには、前記ハンドルを左右に回せるように、延長棒（又は延長ソケット）を使用しなければならない。すなわち、前記延長棒の一端には、被締付け物体を嵌合し、他端には、前記ハンドルのヘッドを嵌合する。これにより、ハンドルの回しスペースが取れるようになる。そして、狭いスペースでも、被締付け物体に十分なトルクを伝え、締付け作業を確実に行うことができる。
【０００３】
一方、現代の機械・機器の組み立てにあたっては、高精度、高強度、長寿命等が益々求められている。これに伴い、トルク感知センサーを備えるトルクレンチが登場しており、このようなトルクレンチは、ユーザーが働いているトルクを検出し、この検出結果（トルク値）をデジタル表示器に表示することができる。
【０００４】
ところで、上記のタイプのトルクレンチでは、トルクレンチ本体に感知センサーとデジタル表示器を増設する必要があり、その使用の利便性を損なう場合がある。また、上記のような延長棒（又は延長ソケット）を使用するときには、感知センサーの設置箇所と被締付け物体の間に延長棒があるため、前記感知センサーにより得られるトルク値は、ユーザーが働くトルク値であって、被締付け物体に作用するトルク値ではない場合がある。このため、被締付け物体のトルク値を設定するにあたっては、誤差が発生しやすいという問題がある。
本考案は、従来のレンチ関連部品の上記した欠点に鑑みてなされたものである。
【考案の概要】
【考案が解決しようとする課題】
【０００５】
本考案の主な課題は、狭いスペースでも、締付け作業を確実に行うことができる、トルクのデジタル表示機能付き工具連結器を提供することである。
【０００６】
本考案の次の課題は、トルクをより正確に知ることができる、トルクのデジタル表示機能付き工具連結器を提供することである。
【課題を解決するための手段】
【０００７】
上記課題を解決するため、本考案は連結本体と、感知ユニットと、表示ユニットとにより構成されるトルクのデジタル表示機能付き工具連結器であって、前記連結本体は、第一結合部と、第二結合部と、第一、第二結合部を連結する連結部とを具備し、前記第一結合部は、ボルトなどの被締付け物体を嵌合するのに供し、前記第二結合部はレンチなどの工具を嵌合するのに供し、前記感知ユニットは、前記連結本体上に設置され、トルクを感知し電気信号を出力し、前記表示ユニットは、前記感知ユニットと電気的に接続し、前記感知ユニットの電気信号をトルク値へ変換し表示することを特徴とする、トルクのデジタル表示機能付き工具連結器である。
【考案の効果】
【０００８】
本考案は従来のトルクレンチに取付けるだけで、狭いスペースでも、被締付け物体の締付け作業を確実に行うと共に、トルクをより正確に測ることができるという効果を奏する。
【図面の簡単な説明】
【０００９】
【図１】本考案の実施例１の全体斜視図である。
【図２】図１における実施例１の平面図である。
【図３】図１における実施例１の分解斜視図である。
【図４】図１における実施例１の縦断面図である。
【図５】図１における実施例１の使用状態を示す模式図である。
【図６】本考案の実施例２の全体斜視図である。
【考案を実施するための形態】
【００１０】
以下に図面を参照しながら本考案を実施するための最良の形態について詳細に説明する。
【実施例１】
【００１１】
図１乃至図５に示すように、本考案の実施例１によるトルクのデジタル表示機能付き工具連結器１００は、連結本体１０と、感知ユニット３０と、表示ユニット３０とにより構成される。
【００１２】
前記連結本体１０は、レンチ等の工具と、ボルトなどの被締付け物体との間に取り付けられ、前記の工具の作業位置を改変したり、延長したりする。前連結本体１０は、一つの第一結合部１１と、一つの第二結合部１２と、一つの連結部１３とを具備する。
【００１３】
前記第一結合部１１は、正方形柱体であり、前記第二結合部１２は、円形柱体であり、且つ前記第二結合部１２には、矩形連結口１２１を設け、前記矩形連結口１２１の外郭は前記第一結合部１１の正方形柱体の外郭に対応する。
【００１４】
前記連結部１３は、所定長さを有する円柱ロッドにより構成され、その両端がそれぞれ、前記第一結合部１１と前記第二結合部１２とを連接し、対称とする上下円周面に一対の感知表面１３１、１３１が形成される。
【００１５】
前記感知ユニット２０は、ひずみゲージにより構成される。二つのひずみゲージはそれぞれ、前記連結本体１０の前記感知表面１３１、１３１に貼着される。これにより、連結本体１０の曲げ変形量を感知し、トルク電気信号を出力する。
【００１６】
前記表示ユニット３０は、ケース３１と基板３２とからなり、前記ケース３１は第一ケース３１１と第二ケース３１２とを有し、前記第一、第二ケース３１１、３１２は互いに係合し、前記連結本体１０の連結部１３は前記第一、第二ケース３１１、３１２間に位置される（図１と図４を参照）。
【００１７】
前記感知ユニット２０（又はひずみゲージ）は、前記ケース３１により被覆され、前記第一ケース３１１の上表面には、デジタル表示画面３１３と、複数のボタン３１４とを設ける。
【００１８】
前記基板３２は前記第一ケース３１１内に設けられ、前記デジタル表示画面３１３と、ボタン３１４と、前記感知ユニット２０と電気的に接続する。前記基板３２は前記感知ユニット２０により感知されたトルク電気信号をトルク数値へ変換し、これを前記デジタル表示画面３１３へ出力する。前記ボタン３１４は各種パラメターの設定や表示方式を操作するのに供する。
【００１９】
以下に本考案の作用・動作を説明する。図５に示すように、ユーザーがトルクレンチ１のヘッド２を被締付け物体に取付けて、締付け作業を行うとき、まず、本考案の前記工具連結器１００の第一結合部１１を前記被締付け物体に嵌合し、前記トルクレンチ１のヘッド２を前記第二結合部１２に嵌合する。これにより、トルクレンチ１の作業位置を改変するという効果を達成することができる。勿論、前記第一結合部１１に前記被締付け物体に対応するソケット３を取り付けてもよい。
【００２０】
本考案のトルクのデジタル表示機能付き工具連結器１００は、被締付け物体に対するトルクレンチ１の作業位置（又はトルクを施す位置）を延長するだけではなく、感知ユニット２０と表示ユニット３０とによって、トルク値を直接に検出し表示することができる。これにより、ユーザーが各種のデジタル表示機能付きトルクレンチを購入する必要がなく、本考案のトルクのデジタル表示機能付き工具連結器１００を各種の従来のトルクレンチに取付けるだけで、トルクを正確に知ることができ、その費用を節約することができる。また、本考案は、感知ユニット２０と被締付け物体の距離が従来のトルクレンチと被締付け物体との距離より短いので、より正確にトルク値を検出することができる。
【００２１】
なお、上記実施例１では、第一結合部は矩形柱体であるが、例えば、正六角形柱体などの形状でもよい。同様に、第二結合部には矩形連結口を設けてあるが、正六角形連結口などの形状でもよい。また、連結本体の連結部は円柱ロッドのみならず、例えば、矩形、六角形などの形状を呈するロッドでもよい。
【実施例２】
【００２２】
図６に示すように、本考案の実施例２によるトルクのデジタル表示機能付き工具連結器２００は、前記実施例１と同様に、連結本体４０と、感知ユニット５０と、表示ユニット６０とにより構成される。
【００２３】
前記実施例１との相違点は、第一、第二ケース６１１、６１２の係合によって構成されるケース６１を含む表示ユニット６０が連結本体４０と別に設けられることにある。即ち、表示ユニット６０は連結本体４０と直接に接触しない。表示ユニット６０は、リード線６３を介してケース６１内の基板（図示せず）と、連結本体４０の感知表面上に貼着された感知ユニット５０と電気的に接続する。これにより、ユーザーが、連結本体４０と分離したままの表示ユニット６０を持ったり、適当な場所に置いたりして使用可能で、トルク値の表示がより便利になる。
【符号の説明】
【００２４】
実施例１に係る部分
１      トルクレンチ
２      ヘッド
３      ソケット
１００  トルクのデジタル表示機能付き工具連結器
１０    連結本体
１１    第一結合部
１２    第二結合部
１２１  矩形連結口
１３    連結部
１３１  感知平面
２０    感知ユニット
３０    表示ユニット
３１    ケース
３１１  第一ケース
３１２  第二ケース
３１３  デジタル表示画面
３１４  ボタン
３２    基板
実施例２に係る部分
２００  トルクのデジタル表示機能付き工具連結器
４０    連結本体
５０    感知ユニット
６０    表示ユニット
６１    ケース
６１１  第一ケース
６１２  第二ケース
６３    リード線
【図１】
0003151032.tif 000003
【図２】
0003151032.tif 000004
【図３】
0003151032.tif 000005
【図４】
0003151032.tif 000006
【図５】
0003151032.tif 000007
【図６】
0003151032.tif 000008